(57)【要約】      （修正有）【課題】屋内空気を排出する換気扇作動時に外気を効率よく導入する。【解決手段】換気扇を装着した換気通路とは別に室内と外部とを連通接続する給気通路を設け、この給気通路に一対の半月状翼板を回転揺動可能に枢支した給気連動シャツターであって、一対の半月状翼板３、３で構成される遮断弁５を室外側に膨出する球殻形状に形成するとともに、この遮断弁の外周部における半月状翼板の弦側端縁部分をそれぞれ給気通路の開口周縁部分に揺動可能に枢支し、この一対の半月状翼板を閉じ側に弾性付勢するとともに、換気扇の運転作動に連動して開き側に揺動作動するように構成してあることを特徴とする給気連動シャツター。【選択図】図１
2011021794.tif 000002
【特許請求の範囲】
【請求項１】
換気扇を装着した換気通路とは別に室内と外部とを連通接続する給気通路を設け、この給気通路に一対の半月状翼板(３)(３)を回転揺動可能に枢支した給気連動シャツターであって、一対の半月状翼板(３)(３)で構成される遮蔽弁(５)の弁板を室外側に膨出する球殻形状に形成するとともに、この弁板の外周部における半月状翼板(３)(３)の弦側端縁部分をそれぞれ給気通路の開口周縁部分に揺動可能に枢支し、この一対の半月状翼板(３)(３)を閉じ側に弾性付勢するとともに、換気扇の運転作動に連動して開き側に揺動作動するように構成してあることを特徴とする給気連動シャツター。
【請求項２】
換気扇の運転作動に連動して作動する電動アクチュエータ(10)にスライダー(14)を連動させ、このスライダー(14)で翼板(３)(３)の一方の枢支部端縁を出退作動させることで、翼板を開閉作動するように構成した請求項１に記載の給気連動シャツター。
【発明の詳細な説明】
【技術分野】
【０００１】
本発明は、室内に外気を導入する通路に配置されるシャツターであって、特に、換気扇の作動と連動して作動する給気連動シャツターに関する。
【背景技術】
【０００２】
近年、住居の気密性が向上することに伴い、換気扇作動時に室内に負圧が生じ、玄関扉などの開閉が困難化するという傾向が見られる。そこで、従来、換気時に換気扇のスイッチ等と連動して作動する、室内への吸気通路や排気通路に配置されるモータ駆動のダンパー(特許文献１)や、換気口や吸気口に設けられた換気レジスタ(ダンパー)(特許文献２)が提供されている。
【先行技術文献】
【特許文献】
【０００３】
【特許文献１】実用新案登録第２５８３９４５号公報
【特許文献２】特開２００１−２６３７８３号公報
【発明の概要】
【発明が解決しようとする課題】
【０００４】
従来のダンパーは、空気通路を構成している筒体の内部に半月状に形成した一対の翼板をその弦部分を回転軸として９０°の範囲内で揺動可能に配置し、この半月状翼板の揺動角度により、流通する空気量を調整するようになっていた。この一対の半月状翼板は、それぞれ平板で構成してあり、開閉揺動のための駆動連結具が各半月状翼板の一面にそれぞれ固定してあった。
【０００５】
この結果、一対の半月状翼板で構成した遮蔽弁の開き作動時に、駆動連結具が空気通路内に露出することになり、空気の流れを乱すだけでなく通路断面積を狭小化することになる。さらに、半月状翼板で構成した遮蔽弁では、その開き作動時に揺動基点となる各翼板の弦部分での翼板同士の隙間が殆ど生じないことから、空気の流れは、空気通路の周縁側だけとなり、空気の流れに偏りが生じるという問題もある。
【０００６】
本発明は、このような点に着目してなされたもので、室内空気を排出する換気扇作動時に、外気を効率よく導入することができる給気連動シャツターを提供することを目的とする。
【課題を解決するための手段】
【０００７】
上述の目的を達成するために、本発明は、換気扇を装着した換気通路とは別に室内と外部とを連通接続する給気通路を設け、この給気通路に一対の半月状翼板を回転揺動可能に枢支した給気連動シャツターであって、一対の半月状翼板で構成される遮閉弁の弁板を室外側に膨出する球殻形状に形成するとともに、この弁板の外周部における半月状翼板の弦側端縁部分をそれぞれ給気通路構成部材に揺動可能に枢支し、この一対の半月状翼板を閉じ側に弾性付勢するとともに、換気扇の運転作動に連動して開き側に揺動作動するように構成してあることを特徴としている。
【発明の効果】
【０００８】
本発明では、一対の半月状翼板で構成される弁板を室外側に膨出する球殻形状に形成していることから、開き作動した際に給気通路の外周縁寄りだけでなく、一対の半月状翼板の弦側(対向縁側)にも大きな開口が生じ、この中央の開口部を通って空気が流入することになるから、全体の流れをよくすることができ、室内圧力が負圧になることを抑制することができる。
【０００９】
また、給気通路を開閉する遮断弁の弁板を室外側に膨出する球殻形状に形成していることから、閉じた状態で強風等により翼板が押し返されるような場合でもその風圧荷重を分散させることができる。
【００１０】
さらに、翼板を閉じ側に弾性付勢してモータの駆動に連動したスライド機構により翼板の開閉作動するように構成した場合には、遮断弁の弁板を室外側に膨出する球殻形状に形成してあることから外部からの風圧で開かないように固定することができる。
【図面の簡単な説明】
【００１１】
【図１】本発明の一実施形態を示す中央縦断概略正面図である。
【図２】図１のII−II線矢視図に対応する要部取り出し図であり、図２(Ａ)は換気扇非作動状態を、図２(Ｂ)は換気扇非作動状態をそれぞれ示す。
【図３】開閉駆動機構の一例を示す概略取り出し斜視図である。
【図４】作動時の開口状態を示す図であり、図４(Ａ)は本発明にかかる場合を、図４(Ｂ)は従来の場合を示す。
【発明を実施するための形態】
【００１２】
この給気連動シャツターは、室内の空気を室外に排出する換気扇システム(図示を省略)と併設される室内へ空気を取り入れる給気系路に装着されるものであって、給気通路の一部を構成する円筒状挿入部(１)と、この円筒状挿入部(１)の一端に形成され部屋の壁に固定される基板部分(２)と、この基板部分(２)に揺動開閉可能に枢支され円筒状挿入部(１)の基板側開口部(４)に配設されている一対の半月状翼板(３)(３)からなる遮蔽弁(５)と、基板部分(２)の一側部に配置されている遮蔽弁(５)の弁板を開閉駆動する駆動機構(６)と、遮蔽弁(５)の室内側を覆う状態で基板部分(２)に装着されているガード枠(７)とを有している。
【００１３】
遮閉弁(５)の弁板は一対の半月状翼板(３)(３)で室外側に膨出する球殻形状をなすように構成してある。この一対の半月状翼板(３)(３)は、その各一端部分は弁板(５)を開閉駆動する駆動機構(６)を配設している側での基板部分(２)に揺動回転可能に支持されている。また、その各他端部は、基板部分(２)に開口している給気口(４)の周縁部に設けた支持ボス(９)に揺動回転自在に支持されている。
【００１４】
遮断弁(５)を開閉駆動する駆動機構(６)は、換気扇の作動スイッチに連動して作動するシンクロナスモータ(10)と、このシンクロナスモータ(10)の出力軸に装着した揺動子(13)と、この揺動子(13)の周面に形成した扇形の歯車(12)に噛み合う歯車部(11)を有する緩衝機構(８)と、揺動子(13)と連動するスライダー(14)と、揺動子(13)を非作動側に弾性付勢するスプリング(15)とを有している。
【００１５】
揺動子(13)は駆動軸孔(16)に挿嵌されたシンクロナスモータ(10)の出力軸によって揺動可能に構成してあり、換気扇の作動スイッチに連動して揺動作動するようになっている。駆動軸孔(16)が開口している側面とは反対側の側面にスライダー(14)と係合する係合突起(17)が突設してある。また、扇形の歯車(12)を突設している周面部分とは異なる位置での周面部分にスプリング係合部(18)が周面から突出する状態に形成してある。
【００１６】
スライダー(14)は、その下端部を押圧作動部(19)とした四角柱状の本体部分(20)で構成してあり、その本体部分(20)を基板部分(２)にガイド枠(21)を介して昇降移動自在に支持されている。そしてこのスライダー(14)の本体部分(20)の一側面に揺動子(13)に突設した係合突起(17)が嵌り合う嵌合溝(22)が刻設してある。この嵌合溝(22)はスライダー(14)の進退方向と直交する方向に長軸を有する長円で形成してある。したがって、この嵌合溝(22)に係合突起(17)を嵌めた状態で揺動子(13)を駆動させると、揺動子(13)の回動角度に応じて、スライダー(14)が昇降移動することになる。
【００１７】
スライダー(14)の押圧作動部(19)は、スライダー本体部分の両側面部分を略楔状に切欠き、この両切欠き部(23)に略勾玉形状に形成した係合子(24)をその小径部分が嵌り合う状態に配設することで形成してある。そして、この係合子(24)の大径部分はそれぞれ半月状翼板(３)(３)の円周部での対向面部分に固着してあり、半月状翼板(３)(３)の弦部分(直径方向)と平行な状態で配置した軸を介して基板部分(２)に揺動回転可能に支持してある。
【００１８】
このように構成した給気連動シャツターは、換気扇が非作動の状態では、スプリング(15)の弾性力により揺動子(13)を非作動側に弾性付勢していることから、一対の半月状翼板(３)(３)が図２(Ａ)に示す展開状態(遮蔽姿勢)にあり、給気経路は遮閉状態にある。図２(Ａ)に示す状態から、換気扇を作動させると、その換気扇の作動と同期して、シンクロナスモータ(10)が作動して、揺動子(13)を一定の角度だけ回動させ、スライダー(14)を進出作動させる。このスライダー(14)の進出に伴い、スライダー(14)に係合している係合子(24)がその支持軸を中心に回動して、一対の半月状翼板(３)(３)が図２(Ｂ)に示す中折れの作動状態になる。
【００１９】
ついで、換気扇の作動を停止すると、その停止操作に連動して、シンクロナスモータ(10)の作動も停止し、揺動子(13)に作用しているスプリング(15)の弾性力により、揺動子(13)が引き戻されることになって、 スライダー(14)が退入移動し、一対の半月状翼板(３)(３)は図２(Ａ)に示す展開状態(遮蔽姿勢)に戻る。このときスプリング(15)の弾性力が半月状翼板(３)(３)に遮蔽力として作用するが、揺動子(13)の周面に形成した扇形の歯車(12)と緩衝機構(８)の歯車(11)とが噛み合っていることから、半月状翼板(３)(３)が勢いよく閉じることによる衝突を抑制することになる。
【００２０】
上述の構成からなる給気連動シャツターは、遮断弁の弁体となる一対の半月状翼板(３)(３)を室外側に膨出する球殻形状に形成してあることから、開弁作動した際には、図４(Ａ)に示すように、周縁部だけでなく、翼板(３)(３)の対向縁同士間にも大きな通風間隙が生じることになる。この結果、室内に流入する室外空気は、翼板で案内された横側の二方向流に加えて、翼板(３)(３)の対向縁同士間からの正面側への空気流を得ることができる。
これに対して遮断弁の弁板を平板(３Ａ)で形成した場合には、図４(Ｂ)に示すように弁板となる平板(３Ａ)の対向縁同士間にはほとんど通風間隙を得ることができず、周縁部分だけになる。この結果、室内に流入する室外空気は、平板状の翼板で案内された横側の二方向流となり、正面側の空気流を得ることができない。 
【００２１】
上述の実施形態では、スライダー(14)に係合している揺動子(13)をスプリング(15)でスライダー(14)の退入方向に弾性付勢したものについて説明したが、一対の半月状翼板(３)(３)をその揺動支点部分でねじりコイルばね等の弾性付勢手段で閉じ側に弾性付勢するようにしてもよい。 
【００２２】
また、遮断弁(５)を開閉駆動する駆動機構(６)として、換気扇の作動スイッチに連動して作動するシンクロナスモータ(10)と、このシンクロナスモータ(10)の出力軸に装着した揺動子(13)と、この揺動子(13)に連動するスライダー(14)と、揺動子(13)を非作動側に弾性付勢するスプリング(15)とを有するものを例に説明したが、シンクロナスモータ(10)に変えて、他の電動アクチュエータを使用することもできる。この場合、回転型の電動アクチュエータのみならず、リニア型の電動アクチュエータであってもよい。
【産業上の利用可能性】
【００２３】
本発明は、換気扇の作動と連動して開閉作動する給気連動シャツターに適用することができる。
【符号の説明】
【００２４】
３・３…半月状翼板、５…遮蔽弁、10…電動アクチュエータ、14…スライダー。
【図１】
2011021794.tif 000003
【図２】
2011021794.tif 000004
【図３】
2011021794.tif 000005
【図４】
2011021794.tif 000006